(57)【要約】【課題】読込直後の画像と編集後の画像とを容易に対比できる技術を提供する。【解決手段】画像形成装置は、入力した画像データを編集する機能及び読込直後のページ画像を順に表示する機能を持つディスプレイ１３０を含む。記録媒体上に形成される画像の形態を変化させる第１の種類の編集指示の場合、編集を原稿表示データ６４０に反映させず、画像が形成された記録媒体をページ単位で編集する第２の種類の編集指示の場合、編集を原稿表示データ６４０に反映させる。仕上がりプレビュー画面５１０と原稿表示モード画面５３０とを切り替えることで、編集後の画像と読込直後の画像とを容易に対比できる。【選択図】図１８
2012028955.tif 000002
【特許請求の範囲】
【請求項１】
画像データを入力するための入力手段と、
前記入力手段により入力された画像データからページ画像を生成するための生成手段と、
前記ページ画像をページ単位で順に表示するための表示手段と、
前記画像データをページ単位で編集指示するための編集指示手段と、を含む画像形成装置であって、
前記編集指示は、
前記画像データに基づいて記録媒体上に形成される画像の形態を変化させる第１の種類の編集指示と、
前記画像データに基づいて画像が形成された記録媒体をページ単位で編集する第２の種類の編集指示とを含み、
前記画像形成装置はさらに、前記編集指示手段により指示された編集指示が前記第１の種類の編集指示の場合には当該編集を前記表示手段上のページ画像には反映させず、前記編集指示手段により指示された編集指示が前記第２の種類の編集指示の場合には当該編集を前記表示手段上のページ画像に反映させるための手段を含む、画像形成装置。
【請求項２】
請求項１に記載の画像形成装置であって、
前記第１の種類の編集指示は、
記録媒体の一方の面に、前記画像データに基づく複数のページ画像を集約した形で形成させる編集指示、
記録媒体の表裏面に、前記画像データに基づくページ画像をそれぞれ形成させる編集指示、
記録媒体上に前記画像データに基づいて形成される画像の色を変換させる編集指示、
記録媒体上に前記画像データに基づいて形成される画像の倍率を変化させる編集指示、
記録媒体上に前記画像データに基づいて形成される画像の指定された領域を削除させる編集指示、
記録媒体上に前記画像データに基づいて形成される画像の位置を変更させる編集指示、及び
前記画像データに基づいて画像が形成される記録媒体に、所定の後処理を実行させる編集指示、
の任意の組合わせを含む、画像形成装置。
【請求項３】
請求項１に記載の画像形成装置であって、
前記第２の種類の編集指示は、
前記画像データのうち、任意のページの画像データを削除させる編集指示、
前記画像データに基づいて、ページの並びを変更する編集指示、
前記画像データに基づいて、指定されたページの画像を回転する編集指示
前記画像データに基づいて、指定されたページの画像データの間に白紙ページの画像データを挿入する編集指示、
の任意の組合せを含む、画像形成装置。
【請求項４】
請求項１‐請求項３のいずれかに記載の画像形成装置であって、さらに、
前記画像データに基づいて記録媒体に形成される画像のプレビューを表示するためのプレビュー表示手段と、
ユーザの指示に応答して、前記表示手段による表示と、前記プレビュー表示手段による表示とを切替えるための表示切替手段とを含む、画像形成装置。
【発明の詳細な説明】
【技術分野】
【０００１】
本発明は、画像形成装置に関し、特に、ページ画像が編集作業によりどのように変化するかをユーザが理解することを可能とする画像形成装置に関する。
【背景技術】
【０００２】
電子機器である画像処理装置の１種として、多くの事業所（会社、事務所等）に、画像形成装置（代表的にはコピー機）が導入されている。画像形成装置の主たる機能は、記録用紙に画像を形成することである。したがって画像形成装置は、プリンタ機能及びコピー機能等を備えていることが多い。画像形成装置はしばしば、ネットワークに接続され、複数のユーザにより利用される。このような画像形成装置の１種に、複合機（ＭＦＰ（ＭｕｌｔｉＦｕｎｃｔｉｏｎ  Ｐｅｒｉｐｈｅｒａｌ））がある。複合機は、スキャナ機能を備え、コピーモード、ファクシミリモード（以下、ファクシミリをＦＡＸまたはファクスと記載する場合がある。）、及びネットワーク対応のプリンタモードのように、複数の基本的な動作モードを備える。これらの画像形成装置でスキャナ機能は今後ますます利用される頻度が高くなると思われる。コピーモード及びファクシミリモードでも、スキャナ機能を利用して画像を読込み、両面印刷、集約（２ページを１枚にする２ｉｎ１、４ページを１枚にする４ｉｎ１）、拡大及び縮小等の機能を設定できる。
【０００３】
このような画像形成装置を利用する場合には、例えば、ユーザは以下のような操作を行なう。ユーザはまずスキャナモードで画像データを画像形成装置に読込ませる。次に、ユーザは操作パネルから様々な指示を入力して画像処理（集約等）を行なう。しかる後、ユーザはその画像に対して最終的な処理をすることを示す指示（記録用紙への印刷、ファクシミリによる送信、ファイルとして保存など）を行なう。操作パネルには、例えば、各動作モードにおける機能の設定画面が表示される。そのため、ユーザは各種の機能を容易に設定できる。
【０００４】
ユーザは各種の機能を利用して、画像データに対して様々な編集を加えることが出来る。ところが、多数の機能を組み合わせると、出力原稿は元の画像データと全く異なる構成となることがある。その場合、ユーザは編集した画像データがどのような形態で出力されるのか、原稿が印刷されるまで把握できないことがあった。そして出力原稿の構成と、ユーザの所望する原稿の構成とが異なっていた場合、画像形成のために消費されたトナーや用紙は無駄となってしまうことが多かった。
【０００５】
そこで一部の画像形成装置には、編集された画像がどのような形態で出力されるかを示す仕上がりプレビュー表示機能が備えられている。例えば特許文献１は、複数ページの画像の仕上がりをプレビュー表示により確認できる技術を開示している。また特許文献２は、複数ページの画像の中から、目的のページ画像を速やかに表示させる技術を開示している。さらに特許文献３は、表示されたプレビュー画像から目的のプレビュー画像への遷移過程を、アニメーション表示する技術を開示している。
【先行技術文献】
【特許文献】
【０００６】
【特許文献１】特開２００８−２０３４３９号公報
【特許文献２】特開２００７−１１０６７７号公報
【特許文献３】特開２００９−２５３７７７号公報
【発明の概要】
【発明が解決しようとする課題】
【０００７】
しかしながら、特許文献１−３に開示された技術は、いずれも編集操作が加えられた後のページ画像をプレビュー表示する技術に関するものである。そのためユーザは、元の原稿画像がどのようなページ画像から構成されるものであり、編集操作を加えることでどのような構成に変化するかを把握することは出来なかった。
【０００８】
それゆえに、本発明の目的は、編集指示の内容によっては、ページ画像に編集内容を反映させる表示とさせない表示との２通りを作成することで、ページ画像が編集によりどのように変化するかをユーザが理解することが可能な画像形成装置を提供することである。
【課題を解決するための手段】
【０００９】
本発明に係る画像形成装置は、画像データを入力するための入力手段と、入力された画像データからページ画像を生成するための生成手段と、ページ画像をページ単位で順に表示するための表示手段と、画像データをページ単位で編集指示するための編集指示手段とを含む。編集指示は、画像データに基づいて記録媒体上に形成される画像の形態を変化させる第１の種類の編集指示と、画像データに基づいて画像が形成された記録媒体をページ単位で編集する第２の種類の編集指示とを含む。画像形成装置はさらに、編集指示手段により指示された編集指示が第１の種類の編集指示の場合には編集を表示手段上のページ画像には反映させず、編集指示手段により指示された編集指示が第２の種類の編集指示の場合には編集を表示手段上のページ画像に反映させるための手段を含む。
【００１０】
好ましくは、第１の種類の編集指示は、次に列挙する編集指示の任意の組合わせを含む。すなわち、（１）記録媒体の一方の面に、画像データに基づく複数のページ画像を集約した形で形成させる編集指示、（２）記録媒体の表裏面に画像データに基づくページ画像をそれぞれ形成させる編集指示、（３）記録媒体上に画像データに基づいて形成される画像の色を変換させる編集指示、（４）記録媒体上に画像データに基づいて形成される画像の倍率を変化させる編集指示、（５）記録媒体上に画像データに基づいて形成される画像の指定された領域を削除させる編集指示、（６）記録媒体上に画像データに基づいて形成される画像の位置を変更させる編集指示、（７）画像データに基づいて画像が形成される記録媒体に所定の後処理を実行させる編集指示、である。なお第１の種類の編集指示は、記録媒体上に形成される画像の表示形態が変化する編集指示であれば、上記に列挙した編集指示以外のものも含めることができる。
【００１１】
好ましくは、第２の種類の編集指示は、次に列挙する編集指示の任意の組合わせを含む。すなわち、（１）画像データのうち、任意のページの画像データを削除させる編集指示、（２）画像データに基づいて、ページの並びを変更する編集指示、（３）画像データに基づいて、指定されたページの画像を回転する編集指示、（４）画像データに基づいて、指定されたページの画像データの間に白紙ページの画像データを挿入する編集指示、である。なお第２の種類の編集指示は、記録媒体上に形成される画像の表示形態が変化しない編集指示であれば、上記に列挙した編集指示以外のものも含めることができる。
【００１２】
本発明に係る画像形成装置は、画像データに基づいて記録媒体に形成される画像のプレビューを表示するためのプレビュー表示手段と、ユーザの指示に応答して、表示手段による表示と、プレビュー表示手段による表示とを切替えるための表示切替手段とを含んでもよい。
【発明の効果】
【００１３】
本発明によると、編集指示の内容に応じて、ページ画像に編集内容を反映するか否かが自動的に判定される。第１の種類の編集指示をユーザが与えた場合は、編集内容はプレビュー画像には反映されるが、ページ画像には反映されない。そのため、読込直後のページ画像と、編集後のプレビュー画像とを対比できる。第２の種類の編集指示をユーザが与えた場合は、編集内容はプレビュー画像にもページ画像にも反映される。ページ画像とプレビュー画像との間のページの対応が維持されるので、読込直後のページ画像とプレビュー画像との対比が容易にできる。ユーザは、ページ画像の表示とプレビュー表示の表示とを切替えることで、入力した直後の画像データと編集後の画像データとを、ページ単位で容易に対比することができる。
【図面の簡単な説明】
【００１４】
【図１】本発明の１実施の形態に係る画像形成装置の外観を示す斜視図である。
【図２】図１に示す画像形成装置の内部構成を簡略化して示す図である。
【図３】図１に示す画像形成装置のハードウェア構成を示すブロック図である。
【図４】図１に示す画像形成装置のプレビュー表示におけるタッチパネルの表示領域の分割の態様を示す図である。
【図５】画像形成装置のプレビュー表示におけるフィット・トゥー・スクリーン表示モードにおける表示領域の分割の態様を示す図である。
【図６】画像形成装置のプレビュー表示における仕上がりプレビュー表示モードにおける表示領域の分割の態様を示す図である。
【図７】画像形成装置のプレビュー表示における画像編集モードにおける表示領域の分割の態様を示す図である。
【図８】画像形成装置のプレビュー表示における原稿表示モードにおける表示領域の分割の態様を示す図である。
【図９】本発明の１実施の形態に係る画像形成装置において、プレビュー表示の画面の遷移を示す図である。
【図１０】本発明の１実施の形態に係る画像形成装置において、画像データの読込から印刷に至るまでの過程を示す図である。
【図１１】ページ画像の表示内容を一部覆い隠す編集指示は、原稿表示モード画面に反映されないことを示す図である。
【図１２】ページ画像を両面印刷する編集指示は、原稿表示モード画面に反映されないことを示す図である。
【図１３】ページ画像をモノクロ印刷する編集指示は、原稿表示モード画面に反映されないことを示す図である。
【図１４】ページ画像の並びを変更する編集指示は、原稿表示モード画面に反映されることを示す図である。
【図１５】ページ画像を削除する編集指示は、原稿表示モード画面に反映されることを示す図である。
【図１６】ページ画像を回転する編集指示は、原稿表示モード画面に反映されることを示す図である。
【図１７】本発明の１実施の形態に係る画像形成装置において、編集指示を処理するプログラムの制御構造を示すフローチャートである。
【図１８】本発明の１実施の形態に係る画像形成装置において、編集指示に応じて原稿表示モード画面に指示を反映するか否かを判定するプログラムの制御構造を示すフローチャートである。
【図１９】本発明の１実施の形態に係る画像形成装置において、仕上がりプレビュー画面へ編集指示を反映するプログラムの制御構造を示すフローチャートである。
【図２０】本発明の１実施の形態に係る画像形成装置において、仕上がりプレビュー画面及び原稿表示モード画面へ編集指示を反映するプログラムの制御構造を示すフローチャートである。
【発明を実施するための形態】
【００１５】
以下の実施の形態では、同一の部品には同一の参照番号を付してある。それらの機能および名称も同一である。従って、それらについての詳細な説明は繰返さない。
【００１６】
この画像形成装置は、電子写真方式により記録用紙に画像を形成する。この画像形成装置は、動作モードとして、コピーモード、ＦＡＸモード、ドキュメントファイリングモード（スキャンした画像を画像形成装置内部の記憶装置に記憶するモード）およびメールモード（スキャンした画像を電子メールに添付する形式で送信するモード）を持つ。なお、この画像形成装置は、さらにネットワークプリンタモードを備えていてもよい。しかし、本発明はこれに限定されず、コピーモード、ＦＡＸモード、ドキュメントファイリングモードおよびメールモードの４つの動作モードの中の１つ以上の動作モードを備えた画像形成装置であって、少なくとも１つの動作モードにおいて機能選択メニューとプレビュー情報とをタッチパネルに表示する画像形成装置であればよい。また、印刷方式は電子写真方式に限定されない。
【００１７】
［構成］
図１〜図３を参照して、本発明の実施の形態に係る画像形成装置１００について説明する。
【００１８】
これらの図１〜図３を参照して、画像形成装置１００は、原稿読取部１０２、画像形成部１０４、給紙部１０６、排紙処理装置１０８、および操作ユニット１２０を含む。操作ユニット１２０は、ディスプレイ１３０（以下単に「ディスプレイ１３０」と呼ぶ。）と表示操作部１４０とを含む。ディスプレイ１３０は、液晶パネル等からなる表示パネル１３２と、表示パネル１３２に重ねて配置されたタッチパネル１３４とを含む。タッチパネル１３４は、表面に接触したユーザの指の軌跡を検出可能である。表示操作部１４０は、表示灯１４２と、電源キー１４４と、省エネルギキー（以下「省エネキー」と呼ぶ。）１４６と、ディスプレイ１３０の表示をホーム画面に戻すためのホームキー１４８とを含む。ホーム画面は、種々の動作モードをユーザが選択するための画面のことをいう。
【００１９】
このように本実施の形態に係る画像形成装置１００は、主たる操作デバイスとしてディスプレイ１３０と、ハードウェアキーおよび表示灯により構成される表示操作部１４０とを含む。表示操作部１４０のキー（電源キー１４４、省エネキー１４６、ホームキー１４８）は、ディスプレイ１３０により実現されるソフトウェアボタンと異なり、ハードウェアボタンで実現される。
【００２０】
本実施の形態では、スキャンした画像をプレビュー表示画面にて表示することができる。プレビュー表示は、コピーモード、メールモード、ＦＡＸモードおよびドキュメントファイリングモードでも実行される。これらのいずれでも、プレビュー表示に関する画像形成装置１００の機能は本質的に同じである。したがって以下の説明では、主としてコピーモードを例として画像形成装置１００の概略の構成を説明する。
【００２１】
コピーモードにおいては、主として、原稿読取部１０２および画像形成部１０４が動作する。
【００２２】
画像形成装置１００においては、原稿載置台に置かれた原稿が原稿読取部１０２により画像データとして読取られる。読取られた画像データに各種の画像処理が施され、この画像データが画像形成部１０４へと出力される。
【００２３】
画像形成部１０４は、画像データによって示される原稿の画像を記録媒体（多くの場合、記録用紙）に印刷する。画像形成部１０４は、感光体ドラム２２２、帯電装置２２４、レーザスキャンユニット（以下、「ＬＳＵ」と称する。）２２６、現像装置２２８、転写装置２３０、クリーニング装置２３２、定着装置２３４、および図示しない除電装置等を含む。
【００２４】
画像形成部１０４には、主搬送路２３６および反転搬送路２３８が設けられている。給紙部１０６から給紙されてきた記録用紙が主搬送路２３６に沿って搬送される。給紙部１０６は、用紙カセット２４０に収納された記録用紙、または手差トレイ２４２に載置された記録用紙を１枚ずつ引出して記録用紙を画像形成部１０４の主搬送路２３６へと送り出す。
【００２５】
画像形成部１０４の主搬送路２３６に沿って記録用紙が搬送されている途中で、記録用紙が感光体ドラム２２２と転写装置２３０との間を通過し、さらに定着装置２３４を通過して、記録用紙に対する印刷が行なわれる。
【００２６】
感光体ドラム２２２は、一方向に回転し、その表面は、クリーニング装置２３２と除電装置によりクリーニングされた後、帯電装置２２４により均一に帯電される。
【００２７】
ＬＳＵ２２６は、印刷対象の画像データに基づいてレーザ光を変調し、このレーザ光によって感光体ドラム２２２の表面を主走査方向に繰返し走査して、静電潜像を感光体ドラム２２２の表面に形成する。
【００２８】
現像装置２２８は、トナーを感光体ドラム２２２の表面に供給して静電潜像を現像し、トナー像を感光体ドラム２２２の表面に形成する。
【００２９】
転写装置２３０は、当該転写装置２３０と感光体ドラム２２２との間を通過していく記録用紙に感光体ドラム２２２の表面のトナー像を転写する。
【００３０】
定着装置２３４は、記録用紙を加熱するための加熱ローラ２４８と、記録用紙を加圧するための加圧ローラ２５０とを含む。記録用紙は、加熱ローラ２４８によって加熱され、かつ、加圧ローラ２５０によって加圧されることによって、記録用紙上に転写されたトナー像が記録用紙に定着される。この定着装置２３４へ供給される電力によりヒータを温めて加熱ローラ２４８の温度が定着に適した温度になるように制御されている。なお、省エネモードに移行すると、たとえば、このヒータへ供給される電力が停止されたり削減されたりする。
【００３１】
主搬送路２３６と反転搬送路２３８との接続位置には、分岐爪２４４が配設されている。記録用紙の片面のみに印刷が行なわれる場合は、分岐爪２４４が位置決めされ、この分岐爪２４４により定着装置２３４からの記録用紙が排紙トレイ２４６または排紙処理装置１０８の方へと導かれる。
【００３２】
記録用紙の両面に印刷が行なわれる場合は、分岐爪２４４が所定方向に回動されて記録用紙が反転搬送路２３８の方へと導かれる。記録用紙は、反転搬送路２３８を通過して、その表裏を反転されて主搬送路２３６へと再び搬送され、主搬送路２３６の再度の搬送途中で、その裏面への印刷が行なわれて排紙トレイ２４６または排紙処理装置１０８の方へと導かれる。
【００３３】
上述のようにして印刷された記録用紙は、排紙トレイ２４６または排紙処理装置１０８の方へと導かれて排紙トレイ２４６に排出され、または排紙処理装置１０８の各排紙トレイ１１０のいずれかに排出される。
【００３４】
排紙処理装置１０８では、複数の記録用紙を各排紙トレイ１１０に仕分けして排出する処理、各記録用紙にパンチングする処理、および各記録用紙にステープルする処理を施す。たとえば、複数部の印刷物を作成する場合は、各排紙トレイ１１０に印刷物の一部ずつが割当てられるように、各記録用紙を各排紙トレイ１１０に仕分けして排出し、排紙トレイ１１０毎に、排紙トレイ１１０上の各記録用紙にパンチング処理またはステープル処理を施して印刷物を作成する。
【００３５】
図３を参照して、画像形成装置１００はさらに、コピーモード、ファクシミリモード、ドキュメントファイリングモード、およびメールモードに関する機能の設定が可能な操作ユニット１２０と、プログラム等を記憶するためのＲＯＭ３０６と、通電が遮断された場合であってもプログラムおよびデータ等を記憶可能な不揮発性記憶領域であるハードディスク３０２と、プログラムを実行する際の記憶領域を提供するためのＲＡＭ（Ｒａｎｄｏｍ  Ａｃｃｅｓｓ  Ｍｅｍｏｒｙ）３０８とを含む。
【００３６】
画像形成装置１００はさらに、原稿読取部１０２、画像形成部１０４、ＦＡＸ通信部１６０、操作ユニット１２０、ＲＯＭ３０６、ハードディスク３０２、およびＲＡＭ３０８に接続されるバス３１０と、バス３１０に接続された、画像形成装置としての一般的機能を実現するためのＣＰＵ３００とを含む。
【００３７】
ハードディスク３０２には、この画像形成装置１００でスキャンした原稿の画像データのファイルが、フォルダ別に、保存日時および保存ユーザ名ととともに記憶される。
【００３８】
ＲＯＭ３０６には、画像形成装置１００の動作を制御するのに必要なプログラムおよびデータ等が記憶されている。ＣＰＵ３００は、ＲＯＭ３０６に格納されているプログラムおよびデータに従って画像形成装置１００の制御を行なうとともに画像形成装置１００の各機能に関する制御を実行する。
【００３９】
図３に示すように、ＦＡＸ通信部１６０には、画像データの送受信用に公衆回線が接続され、ネットワークインターフェイス３０４にはネットワーク回線が接続されている。このネットワーク回線には、この画像形成装置１００をネットワーク対応のプリンタとして使用するコンピュータ等が接続されたり、インターネットを介して指定されたＵＲＬ（Ｕｎｉｆｏｒｍ  Ｒｅｓｏｕｒｃｅ  Ｌｏｃａｔｏｒ）により特定されるコンピュータ等が接続されたりする。このようにインターネットに接続されると、画像形成装置１００は、インターネットを介して、必要な情報を取得できる。
【００４０】
ＲＡＭ３０８は、ＣＰＵ３００による演算および処理の結果を一時的に記憶するワーキングメモリとしての機能と、画像データを記憶するフレームメモリとしての機能とを提供する。
【００４１】
原稿読取部１０２、画像形成部１０４、操作ユニット１２０を構成するディスプレイ１３０および表示操作部１４０、ならびにＲＯＭ３０６、ハードディスク３０２、およびＲＡＭ３０８に対する制御は、ＣＰＵ３００が所定のプログラムを実行することにより行なわれる。なお、操作ユニット１２０は、入出力インターフェイスを介してＣＰＵ３００と通信する。
【００４２】
操作ユニット１２０は、ユーザが目視しやすいように傾斜して設けられた板状のパネルで構成される。操作ユニット１２０の表面には、その左側の領域にディスプレイ１３０が、右側の領域に表示操作部１４０（表示灯１４２ならびにハードウェアボタンである電源キー１４４、省エネキー１４６およびホームキー１４８）が、それぞれ備えられている。ディスプレイ１３０および表示操作部１４０は、操作ユニット１２０が全体として一体となるように構成されている。
【００４３】
表示操作部１４０の表示灯１４２は、たとえばＬＥＤ（Ｌｉｇｈｔ  Ｅｍｉｔｔｉｎｇ
Ｄｉｏｄｅ）で構成され、ＣＰＵ３００により点灯／消灯（／点滅）が制御される。主電源スイッチとは別に設けられた電源キー１４４をユーザが押下すると、この画像形成装置１００が待機モード（たとえば主電源がオンの状態でＦＡＸ受信動作のみ可能）から通常モードへ移行して、この画像形成装置１００の全ての動作モードが使用できるようになる。この状態に連動して表示灯１４２が点灯する。さらに、ユーザが操作しない時間が予め定められた時間を経過したり、省エネキー１４６をユーザが押下したりすると、この画像形成装置１００が通常モードから省エネモードへ移行して、この画像形成装置１００の一部の動作モードしか使用できないようになる。この状態に連動して表示灯１４２が点滅する。さらに、この省エネモードのときに、省エネキー１４６をユーザが押下すると、この画像形成装置１００が省エネモードから通常モードへ移行する。ホームキー１４８は、ディスプレイ１３０の表示を初期状態（ホーム画面）へ戻すためのハードウェアキーである。
【００４４】
なお、表示操作部１４０のハードウェアボタン（電源キー１４４、省エネキー１４６およびホームキー１４８）には、ＣＰＵ３００により点灯／消灯（／点滅）が制御されるキーランプを埋め込むようにしても構わない。たとえば、このキーランプは、円型のキーの周囲をリング状に光らせたり、キーの中央部を光らせたりする。操作デバイスとしてハードウェアボタンを使用することが許可されているタイミングで（ハードウェアボタンを使用すると処理が実行されるタイミングで）、このキーランプが点灯する。
【００４５】
本実施の形態に係る画像形成装置１００は、上述した４つの動作モード（コピーモード、ファクスモード、ドキュメントファイリングモードおよびメールモード）を備える。ディスプレイ１３０には、それぞれの動作モードにおける機能設定用のソフトウェアボタンと、必要に応じて、画像形成イメージであるプレビューまたは宛先設定用のボタン等が表示される。
【００４６】
この画像形成装置１００においては、ディスプレイ１３０のホーム画面において動作モードを選択すると、各動作モードの初期画面が表示される。コピーモードのプレビュー画面では、（１）画面が５つの領域（「システム領域」、「機能選択領域」、「プレビュー領域」、「アクションパネル領域」、「タスクトリガー領域」）に分割されている。これらが適切に配置されているため、従来機と同じようなユーザの視点の動線および指先の動線が実現される。そのためユーザは容易に操作できる。（２）異なるプレビュー表示モードであっても５つの領域にそれぞれ割当てられる機能は同じものである。表示モードが異なってもユーザが混乱することがない。（３）「機能選択領域」の大きさを表示モードによって変更する。これと連動して「プレビュー領域」の大きさも変更される。機能設定情報およびプレビュー情報をユーザに的確に伝達することができる。（４）「プレビュー領域」を中央にして「機能選択領域」と「アクションパネル領域」および「タスクトリガー領域」とを互いに反対側に配置してある。その結果、一方側に配置された領域（「機能選択領域」）で機能を選択し、中央に配置された領域で選択された機能による処理をプレビューで確認して、他方側に配置された領域（「アクションパネル領域」および「タスクトリガー領域」）で処理の実行を要求することが可能である。すなわち、処理に伴う目の動きと手の動きとが直線的となり、円滑に操作することができる。
【００４７】
［コピー基本画面のレイアウト］
図４に、ディスプレイ１３０における、コピーモード動作時の基本レイアウト（これを「コピー基本画面」と呼ぶ。）を示す。コピー基本画面は、コピーモードが選択されたときに最初に表示される画面である。本実施の形態の１つの特徴は、コピー基本画面を含め、基本的に全ての画面においてプレビューが可能なことである。同様の画像のプレビューは、例えばファクス送信、メールによる画像送信、画像のファイリングなどのときにも、選択可能である。これら動作モードのいずれにおいても、プレビュー表示に関する基本的な画面構成は同様である。したがって以下の説明ではコピー基本画面についてのみ説明する。
【００４８】
図４を参照して、ここでは横長のディスプレイ１３０（たとえば、横１０２４ピクセル×縦６００ピクセル）を想定する。最上部にはシステム領域４００が配置される。画面中央部にはプレビュー領域４８０が配置される。プレビュー領域４８０の左側には、機能の設定及び機能の内容の確認をするための機能選択領域４１０が配置される。プレビュー領域４８０の右上部にはアクションパネル領域４８２が配置される。プレビュー領域４８０の右下部にはタスクトリガー領域４８４が配置される。これら領域は、後述するようにプレビュー表示モードに応じてその大きさを変化させる。
【００４９】
システム領域４００には、この画像形成装置１００の現時点での状態が表示され、操作中の動作モードのタイトル、画像形成装置１００の状況・状態が表示される。たとえば、システム領域４００には、動作モード名、割込みキー、ログインユーザ名、処理中のジョブ状況、内蔵メモリ使用状態、時刻等が表示される。
【００５０】
機能選択領域４１０には、各機能の設定、表示の切替、設定の確認のためにユーザにより操作される機能選択メニュー（アイコン、ボタン、設定項目画面、機能一覧画面等）が表示される。これらは、原稿の画像データに対して行なうデータ変換、タスク実行時の条件などを設定するためのものである。
【００５１】
プレビュー領域４８０には、原稿の出力（仕上がり）イメージが表示される。ユーザが仕上がりを指示する毎にプレビュー領域４８０に表示されているイメージが変更される。
【００５２】
プレビュー領域４８０には、その下部にプレビュー領域４８０の表示スタイルを変更するプレビュー変更ボタン群４５０を備える。プレビュー変更ボタン群４５０には、プレビューを所望の角度だけ回転させるための回転ボタン４５８、プレビュー画像の拡大及び縮小のためのズームバー４６０、後述する原稿表示モードへの変更を指示する原稿表示ボタン４５２、仕上がりプレビュー画面への変更を指示する仕上がりプレビューボタン４５４、及びフィット・トゥー・スクリーンモードへの変更を指示するフィット・トゥー・スクリーンボタン４５６が配置されている。プレビュー領域４８０の右上には、原稿を編集することが可能な画像編集モードへの変更を指示する画像編集ボタン４６８が配置されている。画像編集モードについては後述する。
【００５３】
回転ボタン４５８をタッチ操作するとプレビューの回転角度を指定するダイアログが表示される。所望の角度を指定するとプレビュー領域に表示されたプレビュー画像がその角度だけ回転される。
【００５４】
ズームバー４６０は、プレピュー画像を所定の拡大率で拡大して表示することを指示するプラスボタン４６２と、所定の縮小率で縮小して表示することを指示するマイナスボタン４６４と、任意の倍率でプレビュー画像の表示を拡大させたり縮小させたりするためのバー４６６とを含む。プラスボタン４６２をタッチ操作したり、バー４６６をプラスボタン４６２側へジェスチャー操作（スライド）したりすると、プレビューが拡大される。マイナスボタン４６４をタッチ操作したり、バー４６６をマイナスボタン４６４側へスライドさせたりすると、プレビュー画像が縮小して表示される。
【００５５】
プレビュー領域４８０に表示される原稿イメージのページ数が多い場合には、ページ選択ボタン（ページ番号入力ボタン、ページ送りボタン、ページ戻しボタン、単ページ表示ボタン、複数ページ表示ボタン等）を表示する。プレビュー領域４８０に表示された原稿イメージをフリックすると、原稿のページ送り及びページ戻しを行なえる。プレビュー領域４８０に表示される原稿イメージが大きい場合には、スクロールバーを表示する。
【００５６】
アクションパネル領域４８２には、操作についての補助・助言・提案についての情報が表示される。たとえば、あるユーザが特定の機能を選択すると、アクションパネル領域４８２にはその機能に関連する機能が表示される。その機能と共通する目的のために他の機能を表示したりしてもよい。このユーザまたはこのユーザが所属するグループのユーザが、このユーザにより選択された機能と過去に組み合わせて選択した機能を「おすすめ機能」として表示したりしてもよい。
【００５７】
アクションパネル領域４８２の左側には、アクションパネル領域４８２を縮小表示させるときにユーザが操作するアクションパネル縮小ボタン４８６が表示される。アクションパネル縮小ボタン４８６を押すと、後述するようにアクションパネル領域４８２が縮小表示されて画面の右側にボタン形式で表示される。このボタンを押すと再度アクションパネル領域４８２が拡大して表示される。すなわち、ユーザがボタンを押すことでアクションパネル領域４８２を縮小又は拡大させることができる。それに伴い、プレビュー領域４８０は拡大又は縮小される。プレビュー画像の確認と、操作ヒントの確認とを、ユーザの意思に基づいて容易に行なうことができる。
【００５８】
タスクトリガー領域４８４には、画像形成装置１００にある処理を開始させるためのトリガーとなる項目（ソフトウェアボタン）が表示される。これら項目が表示されるのは、ある動作モードにおける全ての設定が完了して、画像形成装置１００を実際に動作させることが可能になったときである。たとえば、タスクトリガー領域４８４には、スキャン開始ボタン（図５以降では「ＳＣＡＮ  ＩＮ」ボタン）、モノクロコピー開始ボタン（ＭＯＮＯ  ＳＴＡＲＴ）、カラーコピー開始ボタン（ＣＯＬＯＲ  ＳＴＡＲＴ）、及びクリアーオールボタン（ＣＡ）が表示される。スキャン開始ボタンは、コピー、ＦＡＸ送信などにおいて、原稿を一旦読込んでプレビューする処理を開始させるためのボタンである。モノクロコピー開始ボタンは、原稿を読込んで直ちに記録用紙上にそのモノクロ画像を形成する処理を開始させるためのボタンである。カラーコピー開始ボタンは、同様に直ちに原稿のカラー画像を形成する処理を開始させるボタンである。クリアーオールボタンは、入力された情報を全てクリアさせるためのボタンである。
【００５９】
本実施の形態では、これらの５領域は、プレビューの表示モードが変更されても、その配置された位置が変更されることはない。ただし、機能選択領域４１０、プレビュー領域４８０、アクションパネル領域４８２、タスクトリガー領域４８４は、表示モードに応じてディスプレイ１３０の画面横方向（長手方向）のサイズを変化させる。これは、プレビューが見やすく、かつ操作も確実で簡単にできるように、という目的のためである。
【００６０】
このような５領域の配置は、従来機におけるユーザインターフェイスをも考慮しつつ、ユーザの視点の動線および操作の動線に着目して配置されている。このような配置により、ディスプレイ１３０において、左上から右下へユーザの視線が動いて、左上から右下へユーザの操作（利き手の指先）が動く。これにより、ユーザフレンドリーな操作が可能という効果を得ることができる。
【００６１】
［各表示モードでの表示レイアウト］
以下、プレビューを用いた表示モードでの画面構成について説明する。なお、いずれの画面でも、プレビュー領域４８０、機能選択領域４１０、アクションパネル領域４８２、及びタスクトリガー領域４８４の配置される位置は基本的には同じである。ただし、それらの幅（ディスプレイ１３０の長手方向の長さ）が、画面により変化する。また、それらの幅の変化に伴い、それらの内部に表示される要素も変化する。これらの表示モードがどのように遷移するかについては後述する。
【００６２】
（１）フィット・トゥー・スクリーン
図５を参照して、フィット・トゥー・スクリーン画面５００は、例えばスキャンイン操作が完了したときに読込んだ画像を表示するときに使用される。中央にはプレビュー領域４８０が配置される。ここには、１ページ分の原稿のプレビュー画像５０２がこのプレビュー領域４８０内でできるだけ大きくなるように表示される。プレビュー領域４８０の左側には機能選択領域４１０が配置される。機能選択領域４１０には、機能アイコン群５１２と、各機能アイコンの機能を説明するテキスト群５１４とが表示される。アイコン群５１２のうち、５５０は画像を編集するための画像編集アイコン、５６０はレイアウトを編集するためのレイアウト編集アイコンである。プレビュー領域４８０の右側の上部には、アクションパネル領域４８２が配置される。その下にはタスクトリガー領域４８４が配置される。
【００６３】
機能選択領域４１０の右端を左側にフリックすると、機能選択領域４１０が画面左側に縮小表示され、機能アイコン群５１２のみが表示される。テキスト群５１４は消去される。この状態でも、機能選択のための機能アイコン群５１２が表示されているため、ユーザは各機能について意識することができる。その結果、機能を選択する際にユーザが混乱する危険性を小さくできる。
【００６４】
さらに機能選択領域４１０の右端を右側にフリックすると、機能選択領域４１０が右側に引き出される。このとき、機能選択領域４１０の背景は半透明となり、ユーザはプレビュー領域４８０の画像を見ることができる。機能を選択するときにも、プレビュー画像の全体を確認できる。ユーザは容易に適切な機能を選択できる。
【００６５】
アクションパネル縮小ボタン４８６を押すとアクションパネル領域４８２は右側に縮小され、図８に示す展開ボタン５２２が表示される。展開ボタン５２２を押すとアクションパネル領域４８２が左側に展開表示される。これは他の画面でも同様である。
【００６６】
（２）仕上がりプレビュー
図６を参照して、仕上がりプレビュー画面５１０では、機能選択領域４１０が左側に縮小表示される。機能選択領域４１０の内部には機能アイコン群５１２のみが表示される。テキスト群５１４は表示されない。アクションパネル領域４８２及びタスクトリガー領域４８４はフィット・トゥー・スクリーン画面５００と同様である。機能選択領域４１０の幅が縮小した分だけプレビュー領域４８０の横幅が大きくなっている。そのため、仕上がりプレビューのように多数の画像をプレビュー領域４８０の内部に配置したときに全体の構成が分かりやすくなる。中央に配置された画像も、その内容が十分に確認できる程度に大きく表示される。
【００６７】
仕上がりプレビューでは、機能アイコン群５１２のみが表示され、テキスト群５１４は表示されない。しかし機能アイコン群５１２の右端を右側にフリックすると、機能アイコン群５１２から機能選択領域４１０が右側に展開して表示される。展開後は、機能アイコン群５１２の右側にテキスト群５１４が表示され、フィット・トゥー・スクリーン画面５００と同様になる。ただし、機能選択領域４１０は半透明となる。機能選択領域４１０を通して、その下のプレビュー領域４８０の画像を見ることができる。機能選択領域４１０が展開された後、機能アイコン又はテキストが操作されることなく所定時間が経過すると、機能選択領域４１０は再び縮小され、機能アイコン群５１２のみの表示に戻る。ユーザにより選択された機能の実行が完了したときにも、機能選択領域４１０は縮小され、機能アイコン群５１２のみの表示に戻る。
【００６８】
（３）画像編集モード
画像編集モードでは、単に画像が表示されるだけではなく、白紙ページの挿入、画像の一部領域の消去などの処理を行なうことができる。図７を参照して、画像編集画面５２０では、仕上がりプレピュー画面５１０におけると同様、機能選択領域４１０が左側に縮小表示される。機能選択領域４１０には機能アイコン群５１２のみが表示される。しかし、画像編集モード画面５２０では、仕上がりプレビュー画面５１０と異なり、仕上がりプレビュー画面５１０のアクションパネル領域４８２は右側に折りたたまれ、代わりに展開ボタン５２２が表示される。展開ボタン５２２を押すとアクションパネル領域４８２が展開され表示される。この場合も、アクションパネル領域４８２は半透明表示となり、下側のプレビュー領域４８０の表示を確認できる。アクションパネル領域４８２に対する操作がされることなく所定時間が経過するとアクションパネル領域４８２は再び折りたたまれ、展開ボタン５２２に置き換えられる。同様に、縮小表示されたタスクトリガー領域４８４の左端を左側にフリックするとタスクトリガー領域４８４が通常の大きさに拡大される。このときのタスクトリガー領域４８４の背景も半透明とされる。タスクトリガー領域４８４が表示されているときには、タスクトリガー領域４８４内のボタンを操作することができる。タスクトリガー領域４８４が表示された後、何も指示されることなく所定時間が経過すると、タスクトリガー領域４８４は縮小表示される。
【００６９】
画像編集モードでは、タスクトリガー領域４８４も右側に縮小される。この場合、タスクトリガー領域４８４のボタンの一部しか見ることができない。画像編集モードでは、ページ画像の編集を行なうことが優先であり、したがってタスクトリガー領域４８４をこのように縮小表示しても問題はない。
【００７０】
画像編集モードでは、機能選択領域４１０、アクションパネル領域４８２及びタスクトリガー領域４８４の幅が縮小される。ディスプレイ１３０の表示領域の大部分をプレビュー領域４８０として使用できる。そのため、画像の編集と、編集後の画像の確認とを容易に行なうことができる。
【００７１】
画像編集モードでは、縮小されているとはいえ、アクションパネル領域４８２に代えて展開ボタン５２２が画面右上に、タスクトリガー領域４８４が画面右下に、それぞれ表示される。画像編集をしているときにも、ユーザはこれら領域の存在位置が分かるので、画像編集を安心して行なえる。
【００７２】
（４）原稿表示モード
図８を参照して、原稿表示モード画面５３０は、読込まれた複数のページ画像がマトリクス状にプレビュー領域４８０に配置される。機能選択領域４１０は縮小され機能アイコン群５１２のみが表示される。アクションパネル領域４８２及びタスクトリガー領域４８４はフィット・トゥー・スクリーン画面５００と同様、通常の表示となる。プレビュー領域４８０の面積は、フィット・トゥー・スクリーン画面５００におけるその面積より大きくなり、多数のページを表示できる。本実施の形態では、複数の画像はプレビュー領域４８０の横幅に合わせて配列される。画像が多く、その一部が表示できないときには、プレビュー領域４８０の右端にスクロールバー５３２が表示される。スクロールバー５３２を操作することで、プレビュー領域４８０に表示される画像を上下に移動させることができる。画面を上下にフリックしても画像を上下に移動させることができる。
【００７３】
［画面遷移］
図９を参照して、フィット・トゥー・スクリーン画面５００、仕上がりプレビュー画面５１０、画像編集モード画面５２０、及び原稿表示モード画面５３０のどの画面からも、他の任意の画面に表示を遷移させることができる。
【００７４】
（１）いずれの画面でも、フィット・トゥー・スクリーンボタン４５６をタッチ操作すると、図５の原稿表示モード画面５３０に移行する。このときプレビュー領域４８０には、フォーカスが当たっていた原稿ページのプレビュー画像が表示される。
【００７５】
（２）いずれの画面でも、仕上がりプレビューボタン４５４を操作すると、図６に示す仕上がりプレピュー画面５１０に遷移する。仕上がりプレピュー画面では、ユーザによる設定にしたがって処理された後の原稿画像が生成され、プレビュー領域４８０に表示される。例えば図６には、２ｉｎ１の集約と両面印刷とが指定されたときの仕上がりプレビュー画像が示されている。
【００７６】
（３）いずれの画面でも、画像編集ボタン４６８を押すと、図８に示す画像編集モード画面５２０に遷移する。画像編集モード画面５２０では、画像編集ボタン４６８の隣に画像編集のためのボタンが表示される。またプレビュー領域４８０の左下部分には、ゴミ箱のアイコン（ゴミ箱アイコン）４７０が表示される。原稿画像のうち任意のページの画像をゴミ箱アイコン４７０にドラッグ・アンド・ドロップすると、そのページの画像が原稿から削除される。
【００７７】
（４）いずれの画面でも、原稿表示モードボタン４５２を押すと、画面は図９に示す原稿表示モード画面５３０に移行する。スキャンした原稿がマトリクス形式で表示される。原稿を全て表示することができないときにはスクロールバー５３２が表示される。
【００７８】
［画像の編集］
ユーザは選択した任意のページ画像に対し、機能選択領域４１０に示された種々の編集機能を用いて、原稿の編集を行なうことが出来る。原稿の編集には、各ページに対するものと、複数ページに対するものとの２種類がある。本実施の形態では、前者を画像編集と呼び、後者をレイアウト編集と呼ぶ。画像編集には、画像の枠消去、テキストの追加、ウォーターマークの埋め込み、ユーザスタンプの追加等がある。レイアウト編集には、複数ページを１ページに集約するページ集約、複数ページにわたるとじしろの設定、ページの移動等がある。これら画像編集及びレイアウト編集は、画像編集アイコン５５０、または、レイアウト編集アイコン５６０を押下することで可能となる。また、原稿画像をゴミ箱アイコン４７０にドラッグ・アンド・ドロップしたり、原稿ページを選択しておいてゴミ箱アイコン４７０をタッチしたりすると、当該ページを削除できる。
【００７９】
図１０−１６を参照して、画像形成装置１００に読込まれた画像データ６１０が、ユーザの編集指示により変化する過程について説明する。
【００８０】
図１０において、画像形成装置１００のスキャン部等により、原稿６００から画像データ６１０が読込まれる。この画像データ６１０を基に、原画像データ６２０、仕上がりプレビューデータ６３０、及び、原稿表示データ６４０が作成される。これらのデータは使用目的に応じて、解像度に違いがある。解像度がもっとも大きいものは原画像データ６２０で、その次に大きいものは仕上がりプレビューデータ６３０である。原稿表示データ６４０はページ１枚ごとの詳細な内容を表示しないので、解像度はもっとも小さい。そのため編集段階においては、各ページの原稿画像の編集は解像度の小さい仕上がりプレビューデータ６３０に対して行ない、複数ページにわたる編集は原則として原稿表示データ６４０に対して行なう。
【００８１】
第１の種類の編集指示
ユーザからの編集指示のうち、編集前後で記録媒体上に形成される画像の表示形態が変化する編集指示を、本明細書においては、第１の種類の編集指示と呼ぶ。この第１の種類の編集指示は、記録媒体上に形成される原稿内容は変化させるものの、ページの並び、及び表示方向などには影響しない指示である。
【００８２】
第１の種類の編集指示によって画像が編集された場合、その指示内容は、仕上がりプレビューデータ６３０には反映されるが、原稿表示データ６４０には反映されない。そのため編集後には、仕上がりプレビュー画面５１０には編集内容を反映したページ画像が、原稿表示モード画面５３０には編集前と変化のないページ画像が、それぞれ表示される。
【００８３】
第１の種類の編集指示に分類されるマスキング操作、両面印刷、及びモノクロ印刷に関する編集指示を、図１１−１３を参照して具体的に示す。
【００８４】
―マスキング操作―
図１１を参照して、ユーザは作業対象とすることを所望しないページ上の一部領域を覆い隠すことが出来る。本明細書においては、この操作をマスキング操作と呼ぶ。ユーザは画像編集アイコン５５０を指でタッチし、マスキング操作を選択する。さらに画面上にプレビュー表示される当該ページに対して、マスキング操作を加えたい範囲をドラッグする。この操作が完了した後に仕上がりプレビューボタン４５４を押下すると、この編集処理は仕上がりプレビューデータ６３０に対して行なわれ、編集後の画像が仕上がりプレビュー画面５１０に表示される。しかし、この編集は原稿表示データ６４０に対しては行なわれないので、原稿表示モードボタン４５２を押下しても、ページ画像は編集前と変化のない状態で原稿表示モード画面５３０に表示される。
【００８５】
―両面印刷―
図１２を参照して、ユーザはレイアウト編集アイコン５６０を指でタッチし、両面印刷を選択する。この編集は仕上がりプレビューデータ６３０に対して行なわれ、この操作が完了した後に仕上がりプレビューボタン４５４を押下すると、編集後の画像が仕上がりプレビュー画面５１０に表示される。しかし、この編集は原稿表示データ６４０に対しては行なわれないので、原稿表示モードボタン４５２を押下しても、ページ画像は編集前と変化のない状態で、原稿表示モード画面５３０に表示される。
【００８６】
―モノクロ印刷―
図１３を参照して、ユーザはレイアウト編集アイコン５６０を指でタッチし、モノクロ印刷を選択する。この操作が完了した後に仕上がりプレビューボタン４５４を押下すると、編集後の画像（モノクロ画像）が仕上がりプレビュー画面５１０に表示される。しかし、この編集は原稿表示データ６４０に対しては行なわれないので、原稿表示モードボタン４５２を押下しても、ページ画像は編集前と変化のない状態で、原稿表示モード画面５３０に表示される。
【００８７】
第２の種類の編集指示
ユーザからの編集指示のうち、編集前後で記録媒体上に形成される画像の表示形態が変化しない編集指示を、本明細書においては、第２の種類の編集指示と呼ぶ。この第２の種類の編集指示は、ページの並び、及び表示方向などに影響を与える指示である。
【００８８】
第２の種類の編集指示によって画像が編集された場合、その指示内容は、仕上がりプレビューデータ６３０、及び、原稿表示データ６４０に反映される。そのため編集後には、仕上がりプレビュー画面５１０及び原稿表示モード画面５３０には、編集内容を反映したページ画像が表示される。
【００８９】
第２の種類の編集指示に分類されるページ順の変更、ページの削除、及びページの回転に関する編集指示を、図１４−１６を参照して具体的に示す。
【００９０】
―ページ順の変更―
図１４を参照して、ユーザは画像編集モード画面５２０上に表示される、並びを変更したいページを指でタッチする。そしてページの並びが所望の順となるよう、タッチしたページをドラッグする。この操作は、原稿表示データ６４０に対して行なわれる。この操作が完了した後に原稿表示モードボタン４５２を押下すると、ページ変更の操作が反映されたページ順で、原稿表示モード画面５３０が表示される。もちろん、仕上がりプレビュー画面５１０にもこの編集結果が表示される。
【００９１】
―ページの削除―
図１５を参照して、ユーザは画像編集モード画面５２０上に表示される、削除したいページを指でタッチする。そして当該ページが選択されたのを確認した後、ユーザはゴミ箱アイコン４７０をタッチし、当該ページを削除する。また、この操作は、当該ページをゴミ箱アイコン４７０へドラッグ・アンド・ドロップすることでも実現できる。この処理は原稿表示データ６４０に対しても行なわれる。削除操作が完了した後に原稿表示モードボタン４５２を押下すると、ページ削除の操作が反映された状態で、原稿表示モード画面５３０が表示される。
【００９２】
―ページの回転―
図１６を参照して、ユーザは画像編集モード画面５２０上に表示される、表示方向を回転させたいページを指でタッチする。そして当該ページが選択されたのを確認した後、ユーザは回転ボタン４５８をタッチし、当該ページの表示方向を回転させる。この処理は原稿表示データ６４０に対しても行なわれる。回転操作が完了した後に原稿表示モードボタン４５２を押下すると、回転操作が反映された状態で、原稿表示モード画面５３０が表示される。
【００９３】
なお、図１４−１６における編集操作は、全て仕上がりプレビュー画面５１０における表示にも反映される。すなわち、編集操作を終えた後に仕上がりプレビューボタン４５４を押下すると、編集操作により表示形態が変更された後のページ画像が表示される。
【００９４】
図１０を参照して、ユーザがタスクトリガー領域４８４上のモノクロコピー開始ボタン、または、カラーコピースタート開始ボタンを押下すると、指示内容は全て原画像データ６２０に反映され、編集操作が反映された原稿が出力される。
【００９５】
[ソフトウェア構成]
図１７−１８を参照して、画像形成装置１００のＣＰＵ３００で実行されるプログラムの制御構造について説明する。なお、画像形成装置１００のＣＰＵ３００は、このようなプログラムと平行して、画像形成装置としての一般的機能を実現するプログラムを実行する。しかし、そのプログラムは本発明の本質的部分とは直接関係するものではないので、その詳細についてはここでは説明しない。
【００９６】
図１７を参照して、ＣＰＵ３００は、まずユーザから与えられた操作指示７００がどんなものであるかを判断する。その指示内容に応じて、次に行なわれる手順が決まる。各手順が完了した後、再び操作支持７００を待つ処理（ステップ７００）に戻る指示が「処理を終了する」であれば、このプログラムの実行は終了する。
【００９７】
図１８に、図１７のある操作指示を実行するプログラムの制御構造をフローチャート形式で示す。編集処理の内容は指示により異なるが、プログラムの構造は皆同様である。図１８を参照して、ステップ８００において、ＣＰＵ３００は、ユーザに与えられた編集指示が第１の種類の編集指示か否かを判定する。第１の種類の編集指示と判定されれば、ＣＰＵ３００はステップ８０２に進み、その指示内容の詳細を設定する。そしてステップ８０４において、ＣＰＵ３００は詳細設定が完了したかを判定する。結果が肯定であれば制御はステップ８０６に進み、編集指示が仕上がりプレビュー画面５１０に反映される。結果が否定であれば、制御はステップ８０２に戻る。
【００９８】
ステップ８００における判定が否定であれば、ＣＰＵ３００はステップ８０８に進みその指示内容の詳細を設定する。ステップ８１０においてＣＰＵ３００は詳細設定が完了したかを判定する。結果が否定であれば、制御はステップ８０８へ戻る。結果が肯定であれば、制御はステップ８１２へ進み、編集指示が原稿表示モード画面５３０に反映される。ステップ８１２の処理を終えると、制御はステップ８０６へ進み、編集指示が仕上がりプレビュー画面５１０へ反映される。
【００９９】
［動作］
画像形成装置１００は以下のように動作する。なお以下の説明では、主として図１８を参照し、原稿表示が完了した後について説明する。
【０１００】
ユーザは編集を加える原稿のページ画像を、ディスプレイ１３０にプレビュー表示させる。通常よく用いられるコピーモードでは、全ての原稿の読込みが完了すると、画面はフィット・トゥー・スクリーン画面５００となり、読込んだ画像の１ページ目がプレビュー領域４８０に表示される。
【０１０１】
プレビュー表示のときには、フィット・トゥー・スクリーン画面５００、仕上がりプレビュー画面５１０、画像編集モード画面５２０、及び原稿表示モード画面５３０のどの画面が表示されていても、原稿表示モードボタン４５２、仕上がりプレビューボタン４５４、フィット・トゥ・スクリーンボタン４５６、及び画像編集ボタン４５８を押下することで所望の画面に移動することができる。この画面遷移により、ユーザは編集中のページ画像と、出力原稿と同じ形態の仕上がりプレビューとを読込んだ後、直後のページ画像とを容易に見比べることができる。
【０１０２】
ユーザが編集を所望する原稿に対して編集操作を行なうと、その編集指示が第１の種類の編集指示か否かを判定する（ステップ８００）。この判定が肯定の場合、編集は仕上がりプレビューデータ６３０に対してのみ行なわれ、原稿表示データ６４０に対しては行なわれない。すなわち、仕上がりプレビュー画面５１０には編集後のページ画像が表示されるが（ステップ８０２，８０４，８０６）、原稿表示画面５３０には編集が反映されない。
【０１０３】
ステップ８００における判定が否定の場合、ユーザが編集設定完了を確認すると編集は仕上がりプレビューデータ６３０及び原稿表示データ６４０のいずれにも行なわれる。すなわち、仕上がりプレビュー画面５１０及び原稿表示モード画面５３０には編集後のページ画像が表示される（ステップ８０８，８１０，８１２，８０６）。
【０１０４】
このように編集指示が第１の種類か第２の種類かによって、原稿表示モードのページ画像に編集操作が反映されるか否かが決定する。第１の種類の編集指示の場合は原稿表示モードでの表示を変更せず維持しておくことで、ユーザは読込直後のページ画像がどのようなものであったかを確認することが出来る。それゆえに、ユーザはページ画像が読取直後と編集後とでどのように変化したかを、画面遷移によって容易に確認することが出来る。
【０１０５】
上記実施の形態では、第１の種類の編集指示では、マスキング操作、集約、モノクロ印刷が例示されている。また第２の種類の編集指示では、ページ順の変更、ページの削除、及びページの回転が例示されている。しかし本発明は、このような実施の形態に限定される訳ではない。第１の種類の編集指示はページの構成を維持するものであればよく、他にステープル、パンチ、のりしろなど、用紙に対する後処理等があげられる。第２の種類の編集指示は第１の種類の編集指示でない編集指示全てを含み、例示したもの以外では、他に白紙ページの挿入等があげられる。
【０１０６】
＜変形例＞
画像形成装置１００のＣＰＵ３００で実行されるプログラムは、図１９及び図２０に示す制御構造を持つものでもよい。これらは、その各指示が第１の種類及び第２の種類のどちらであるかが予め分かっている場合に有効である。またこれらは、編集指示が第１の種類及び第２の種類のいずれであるかを判定するステップが存在しない点で、図１８の制御構造と異なっている。図１９は第１の種類の編集指示に共通する構造であり、図２０は第２の種類の編集指示に共通する構造である。
【０１０７】
（１）第１の種類の編集指示における制御
図１９を参照して、第１の種類の編集指示をユーザが与えると、ＣＰＵ３００はステップ９００において、その指示内容の詳細を設定する。そしてステップ９０２において、ＣＰＵ３００は設定が完了したか否かを判定する。結果が肯定であれば制御はステップ９０４に進み、指示内容が仕上がりプレビュー画面５１０に反映される。結果が否定であれば、制御はステップ９００に戻る。
【０１０８】
（２）第２の種類の編集指示の場合の制御
図２０を参照して、第２の種類の編集指示をユーザが与えると、ＣＰＵ３００はステップ９０６において、その指示内容の詳細を設定する。そしてステップ９０８において、ＣＰＵ３００は設定が完了したか否かを判定する。結果が肯定であれば制御はステップ９１０に進み、否定であれば制御はステップ９００に戻る。ステップ９１０において、編集指示は仕上がりプレビュー画面５１０に反映され、ステップ９１２において、原稿表示モード画面５３０に反映される。
【０１０９】
今回開示された実施の形態は単に例示であって、本発明が上述した実施の形態のみに限定されるわけではない。本発明の範囲は、発明の詳細な説明の記載を参酌した上で、特許請求の範囲の各請求項によって示され、そこに記載された文言と均等の意味および範囲内でのすべての変更を含む。
【符号の説明】
【０１１０】
１００  画像形成装置
１２０  操作ユニット
１３０  ディスプレイ１３０
１３２  表示パネル
１３４  タッチパネル
１４０  表示操作部
３００  ＣＰＵ
３０２  ハードディスク
３０４  ネットワークインターフェイス
３０６  ＲＯＭ
３０８  ＲＡＭ
３１０  バス
４１０  機能選択領域
４５２  原稿表示モードボタン
４５４  仕上がりプレビューボタン
４５６  フィット・トゥー・スクリーンボタン
４６８  原稿編集ボタン
４８０  プレビュー領域
４８２  アクションパネル領域
４８４  タスクトリガー領域
５００  フィット・トゥー・スクリーン画面
５１０  仕上がりプレピュー画面
５１２  機能アイコン群
５２０  画像編集モード画面
５３０  原稿表示モード画面
５５０  画像編集アイコン
５６０  レイアウト編集アイコン
【図１】
2012028955.tif 000003
【図２】
2012028955.tif 000004
【図３】
2012028955.tif 000005
【図４】
2012028955.tif 000006
【図５】
2012028955.tif 000007
【図６】
2012028955.tif 000008
【図７】
2012028955.tif 000009
【図８】
2012028955.tif 000010
【図９】
2012028955.tif 000011
【図１０】
2012028955.tif 000012
【図１１】
2012028955.tif 000013
【図１２】
2012028955.tif 000014
【図１３】
2012028955.tif 000015
【図１４】
2012028955.tif 000016
【図１５】
2012028955.tif 000017
【図１６】
2012028955.tif 000018
【図１７】
2012028955.tif 000019
【図１８】
2012028955.tif 000020
【図１９】
2012028955.tif 000021
【図２０】
2012028955.tif 000022